(57)【要約】      （修正有）【課題】  この発明は、各種企業が社屋の内外に掲示する企業名・標章などの表示事項を記載した看板の製作を容易にする看板発注用伝票に関する。【解決手段】表示内容が文字と図形とからなる長方形の看板の作成において、看板の大さと表示事項が記載された顧客からの発注票に基き、予め用意した大きさの異なる長方形の看板の各短辺及び長辺のプロポーション比の範囲毎の、各看板の表示事項をレイアウトするに要する、看板の余白部と図形及び文字の各部の寸法を標記した看板レイアウト用早見表を作成するプロポーション比検索欄に、看板の短辺及び長辺の実寸データを入力してプロポーション比を算出して看板の記載事項の各部の実寸法を特定し、該特定した実寸法を一覧標記した早見表を作成し、該早見表に基き看板を作成する。【選択図】図４
2006308627.tif 000002
【特許請求の範囲】
【請求項１】
表示内容が文字と図形とからなる長方形の看板の作成において、看板の大さと表示事項が記載された顧客からの発注票に基き、予め用意した大きさの異なる長方形の看板の各短辺及び長辺のプロポーション比の範囲毎の、各看板の表示事項をレイアウトするに要する、看板の余白部と図形及び文字の各部の寸法を標記した看板レイアウト用早見表を作成するプロポーション比検索欄に、看板の短辺及び長辺の実寸データを入力してプロポーション比を算出して看板の記載事項の各部の実寸法を特定し、該特定した実寸法を一覧標記した早見表を作成し、該早見表に基き看板を作成することを特徴とする看板の製作方法。
【発明の詳細な説明】
【技術分野】
【０００１】
この発明は、各種企業が社屋の内外に掲示する企業名・標章などの表示事項を記載した看板あるいは、縦横の長さが異なる多種類の看板の製作を容易にする看板の製作方法に関する。
【背景技術】
【０００２】
従来から様々な内容を表示した広告板、看板等の標示物が屋内外に設置されている。昨今銀行、保険会社、証券会社をはじめ種々の法人の合併や統合の結果、新規企業のイメージを印象づけるために、企業名やロゴマークを変更し新たに制定した企業名やロゴマークを表示した新規の看板等の表示物を、企業の社屋の屋上、入口上壁、側壁、屋内の顧客通路、出入り口等に新たに製作掲示する必要がある。
【０００３】
これら新規看板の製作は、掲示場所によって看板の大きさが異なり、看板に描く図形や文字及び余白部の縦横の割合比が多種にわたるので、看板製作業者は大きさの異なる看板に配置する文字やロゴマーク及び余白の大きさを決めるのに、永年の経験と勘に頼っての作業となっている。
【０００４】
また、この新掲示内容を表示してなる新看板の掲示場所が、その企業の地方の新規に開店した支店などの場合に、本社からの看板の発注は、その支店の所在地で営業している看板製造業者等に発注するのが普通である。
【０００５】
このような場合、受注者である企業の支店が所在する地方の看板業者と、新規企業の本店側の看板発注者とが直接面談して、看板を発注する企業の担当者の熟練と勘によって、大きさが異なる看板の表示事項である企業名・標章などの寸法を特定し、看板製造業者にいちいち指示しなければならない問題がある。
【０００６】
従って、看板発注者の高度な熟練と受注者と面接する際のその間の交通費と長時間の面接時間を要しその煩わしさがコスト高となる。
特に企業が合併して商号が変更され、新企業名や新サービスマークが採用されるとるとその合併された企業に属する店舗数も多くなるので、新しく変更され用意される看板の数も膨大となりさらに種類も多くなる問題もある。
これらの課題を解決するために、本願人は看板本体寸法のバリエーションに伴う図形及び文字からなる表示事項をレイアウトするに要する各部の寸法の変化標準化用演算式を用いて大きさの異なる看板の製作作業を容易にするため標準化用演算表を提案した。（特許文献）
【特許文献１】特開２００１−１６６９５号
【特許文献２】実用新案登録第３０７８６５１号
【発明の開示】
【発明が解決しようとする課題】
【０００７】
上記の発明は、看板の縦横大きさやプロポーション比が変わっても、その看板の表示事項をレイアウトするに要する図形・文字の寸法を特定する際、その都度注文者とが直接面接しなくても済むようにして、看板の製作費を低減するしようとするものである。
看板の縦横の大きさなどプロポーション比が種々異なっても、統一された図形・文字のプロポーションからなる看板を受注者が容易製作できるようにした看板製作依頼用の伝票を得られるようにしたものであるが、さらに使い勝手の良い看板作成用の発注伝票を提供しようとするものである。
しかしながら、上記の発明は顧客から提出された看板の大きさや数量、表示内容などを記載した依頼伝票から、看板の大きさやプロポーション比の異なる多種類の看板に同一内容の図形や文字からなる表示事項をレイアウトする際それぞれの看板の各部の寸法を性格かつ標準化す演算式を用いての作業は面倒である。
【課題を解決するための手段】
【０００８】
この発明は上記の課題を解決するために、表示内容が文字と図形とからなる長方形の看板の作成において、看板の大さと表示事項が記載された顧客からの発注票に基き、予め用意した大きさの異なる長方形の看板の各短辺及び長辺のプロポーション比の範囲毎の、各看板の表示事項をレイアウトするに要する、看板の余白部と図形及び文字の各部の寸法を標記した看板レイアウト用早見表の、プロポーション比検索欄に看板の短辺及び長辺の実寸データを入力してプロポーション比を算出して看板の記載事項の各部の実寸法を特定し、該特定した実寸法を一覧標記した早見表を作成し、該早見表に基き看板を作成する看板の製作方法としたことである。
【０００９】
看板発注者から表示事項が図形と文字とから成る看板の製作に用いる依頼伝票看板を受け取った受注者（看板製作業者）は、依頼伝票に記載されている看板の実寸データを、パソコンにインストールした計算ソフトの検索画面の実寸法入力欄に製作しようとする看板の短辺と長辺を入力し、該寸法の入力により短辺対長辺のプロポーション比が標記されると同時に看板の前余白（上余白）、図形標記、文字標記部及び後余白（下余白）の各部の寸法を表示した早見表表示画面が表示される。
【００１０】
看板の各余白部及び図形標記部並びに文字表記部の各部に実寸法を、短辺対長辺のプロポーション比ごとに算出表示した寸法が表示された早見表をの画面をプリントアウトし、その早見表をもとに看板を製作する。
【発明の効果】
【００１１】
この発明は上記のとおりであるから看板の短辺及び長辺の幅が代わっても、その看板の表示部の寸法を特定する際、そのたび毎に発注者と直接面接しなくてもすむので、面接時間などの煩わしさを省略し、看板の製作コストを下げることができる。
【００１２】
看板の取付るのに適した大きさを発注者が決めれば、看板の大きさに基づいて標準化された標示物の寸法を互いに異なる受注者でも容易に得られるようにすることができる。
【発明を実施するための最良の形態】
【００１３】
この発明の実施の形態を以下の実施例に基づいて説明する。
【実施例】
【００１４】
図１はこの発明を実施するための横型の看板を作成する際に用いる早見表作成用計算ソフトの演算式表であり、図２は同縦型の看板を作成用の早見表作成用演算式であり、図３は顧客が受注者に発行する看板作成依頼書の一例を示す図である。
また、図４〜図６は前記計算ソフトにより作成された早見表の一例を示す図である。
看板の発注者が発行する看板作成依頼票書１は、看板の標示事項である図形部Ｂ、文字部Ｃ及び前後あるいは上下の余白部Ａ，Ｄを記載した用紙に、記載は省略してあるが看板の大小各種の寸法と数量等を記載したものを、受注者（看板製作業者）に発行する。
【００１５】
看板作成依頼書を受け取った受注者は、該依頼書により確定した看板のタテ・ヨコを連立方程式に基づき、前もって作成した図１及び図２の演算式を組み込んだ計算ソフトのタテ・ヨコ寸法欄に入力する。
この確定した看板の短辺（縦型看板においては幅、横型看板においては高さ）と長辺（縦型においては高さ、横型においては幅）の寸法の計算ソフトのタテ・ヨコ寸法欄の入力により自動的にプロポーション比が図４〜５示すように自動的にプロポーション比が表示されるとともに標記事項の図形・文字・余白の各部の寸法割合を算出する方程式からなる演算一覧表に基づいて各部の寸法が算出される。
このように、瞬時に看板のプロポーション比の算出及びプロポーション比に対応する看板の表示事項Ａ，Ｂ，Ｃ．Ｄの各部の寸法が自動的に早見表として表示されたものをプリントアウトし、看板の作成に用いる。
【００１６】
この発明の使用例を図４により説明する。発注者から受注した看板が短辺が９００ｍｍ長辺が６０００ｍｍの場合、計算ソフトのタテ・ヨコ寸法欄に９００と６０００と入力するとプロポーション比が６．６７と算出される。
このプロポーション比６．６７の算出とともに図２の計算式の６以上〜７未満の計算式の
Ａの上部余白部＝（１３ｘ−４２）÷（１００％）×Ａ
Ｂの図形部＝（４ｘ＋５３）÷（１００％）×Ａ
Ｃの文字部＝（５２ｘ＋８４）÷（１００％）×Ａ
Ｄの下部余白部＝（１３ｘ−４２）÷（１００％）×Ａ
（注）ｘはプロポーション比、Ａは短辺の長さ、
により、Ａの上余白部４０２ｍｍ、Ｂの図形部７１７ｍｍ、Ｃの文字部４．２００ｍｍ、Ｄ下余白部４０２ｍｍと算出され、これらの寸法値が早見表に表示されるものである。
【００１７】
また、図５は看板の寸法が横型の看板で短辺９００ｍｍ、長辺７０００ｍｍの場合の早見表、図６は縦型の看板で短辺１０００ｍｍ、長辺１００００ｍｍの寸法を有する看板作成に用いる場合に算出された早見表にが作成される。
この様にして、前余白Ａ・図形Ｂ、文字部Ｃ、後余白Ｄの各寸法を速やかに算出でき、看板の縦横大きさやプロポーション比が変わっても、簡単に実寸法の算出を瞬時にできるので看板の製作が容易となる。
【図面の簡単な説明】
【００１８】
【図１】計算用ソフトに用いる看板プロポーション比毎の看板における各部の寸法              符号に対する演算式を記載した演算表（横型用）。
【図２】計算用ソフトに用いる看板プロポーション比毎の看板における各部の寸              法符号に対する演算式を記載した演算表（縦型用）。
【図３】看板の内容記載依頼書
【図４】看板の実寸法の早見表
【図５】看板の実寸法の早見表
【図６】看板の実寸法の早見表
【符号の説明】
【００１９】
１  看板作成依頼書
【図１】
2006308627.tif 000003
【図２】
2006308627.tif 000004
【図３】
2006308627.tif 000005
【図４】
2006308627.tif 000006
【図５】
2006308627.tif 000007
【図６】
2006308627.tif 000008